(57)【要約】【課題】端子金具の係止力が低下することを防止することができる端子金具の係止構造、バルブソケット、および照明装置を提供すること。【解決手段】端子金具１０と、該端子金具１０を保持収容する端子保持端子保持収容部３０と、を有し、前記端子金具１０の端子側係止突起部１５が前記端子保持収容部３０の保持側係止部３１による係止位置にて弾性的に復元することによって、前記保持側係止部３１に係止される端子金具の係止構造１であって、前記保持側係止部３１は、係止位置に向けて移動する前記端子側係止突起部１５の弾性変形量を小さく抑える方向に弾性変形可能に設け、当該端子金具の係止構造１は、前記保持側係止部３１が係止解除方向に弾性変形することを規制する規制壁５１を有し、かつ前記端子保持収容部３０とは別体で該端子保持収容部３０に取り付ける規制部材５０を有する。【選択図】図１
2015115162.tif 000002
【特許請求の範囲】
【請求項１】
端子金具と、該端子金具を保持収容する端子保持収容部と、を有し、前記端子金具の端子側係止突起部が前記端子保持収容部の保持側係止部による係止位置にて弾性的に復元することによって、前記保持側係止部に係止される端子金具の係止構造であって、
前記保持側係止部は、
係止位置に向けて移動する前記端子側係止突起部の弾性変形量を小さく抑える方向に弾性変形可能に設け、
当該端子金具の係止構造は、
前記保持側係止部が係止解除方向に弾性変形することを規制する規制壁を有し、かつ前記端子保持収容部とは別体で該端子保持収容部に取り付ける規制部材
を有することを特徴とする端子金具の係止構造。
【請求項２】
光源となるバルブに給電するバルブソケットであって、
請求項１に記載の端子金具の係止構造を組み込み、
前記端子金具は、
前記バルブに接続する端子部を有し、
前記端子保持収容部は、
当該バルブソケットの本体を構成するソケット本体に設ける
ことを特徴とするバルブソケット。
【請求項３】
光源となるバルブと、該バルブの光を装置外部に透過する透過レンズと、前記透過レンズ以外からの光漏れを防止するための光漏れ防止カバーと、を有する照明装置であって、
請求項２に記載のバルブソケットを組み込む
ことを特徴とする照明装置。
【請求項４】
前記ソケット本体は、
前記光漏れ防止カバーを係止するカバー係止部を有し、
前記光漏れ防止カバーは、
前記カバー係止部を支持するようにして係止する被係止部を有し、
前記規制部材は、
前記規制壁が前記保持側係止部の係止解除方向で該規制壁より外方側に前記カバー係止部の内壁面が位置するように前記端子保持収容部に取り付ける
ことを特徴とする請求項３に記載の照明装置。
【請求項５】
前記規制部材は、
前記光漏れ防止カバーに一体的に設ける
ことを特徴とする請求項３または４に記載の照明装置。
【発明の詳細な説明】
【技術分野】
【０００１】
本発明は、端子金具の端子側係止突起部が係止位置にて弾性的に復元することによって、保持側係止部に係止される端子金具の係止構造、バルブソケットおよび照明装置に関する。
【背景技術】
【０００２】
従来、端子金具をコネクタあるいはバルブソケット等の端子保持収容部によって保持収容する端子金具の係止構造として、端子金具の端子側係止突起部が端子収容部の保持側係止部による係止位置にて弾性的に復元することによって、保持側係止部に係止されるものがある。
例えば、特許文献１には、端子金具の一部を切り起こして形成した係止片（端子側係止突起部）をソケット本体に設けた端子保持収容部内で係止することによって端子金具を端子保持収容部内に保持収容するバルブソケットが記載されている。
【先行技術文献】
【特許文献】
【０００３】
【特許文献１】特開２０１３−１５２８９８号公報
【発明の概要】
【発明が解決しようとする課題】
【０００４】
しかしながら、特許文献１に記載された端子金具の係止構造は、係止片（端子側係止突起部）を端子保持収容部に設けた突起部（保持側係止部）に係止するため、係止片（端子側係止突起部）が係止位置に向けて移動する際、突起部（保持側係止部）をのり越えるために突出方向とは逆方向に大きく弾性変形する必要があり、突出方向に復元するための弾性力が低下し、結果的に係止力が低下してしまうおそれがあった。  
【０００５】
本発明は、上記に鑑みてなされたものであって、端子金具の係止力が低下することを防止することができる端子金具の係止構造、バルブソケット、および照明装置を提供することを目的とする。
【課題を解決するための手段】
【０００６】
上述した課題を解決し、目的を達成するために、本発明の請求項１に係る端子金具の係止構造は、端子金具と、該端子金具を保持収容する端子保持収容部と、を有し、前記端子金具の端子側係止突起部が前記端子保持収容部の保持側係止部による係止位置にて弾性的に復元することによって、前記保持側係止部に係止される端子金具の係止構造であって、前記保持側係止部は、係止位置に向けて移動する前記端子側係止突起部の弾性変形量を小さく抑える方向に弾性変形可能に設け、当該端子金具の係止構造は、前記保持側係止部が係止解除方向に弾性変形することを規制する規制壁を有し、かつ前記端子保持収容部とは別体で該端子保持収容部に取り付ける規制部材を有することを特徴とする。
【０００７】
上述した課題を解決し、目的を達成するために、本発明の請求項２に係るバルブソケットは、光源となるバルブに給電するバルブソケットであって、請求項１に記載の端子金具の係止構造を組み込み、前記端子金具は、前記バルブに接続する端子部を有し、前記端子保持収容部は、当該バルブソケットの本体を構成するソケット本体に設けることを特徴とする。
【０００８】
上述した課題を解決し、目的を達成するために、本発明の請求項３に係る照明装置は、光源となるバルブと、該バルブの光を装置外部に透過する透過レンズと、前記透過レンズ以外からの光漏れを防止するための光漏れ防止カバーと、を有する照明装置であって、請求項２に記載のバルブソケットを組み込むことを特徴とする。
【０００９】
また、本発明の請求項４に係る照明装置は、上記の発明において、前記ソケット本体は、前記光漏れ防止カバーを係止するカバー係止部を有し、前記光漏れ防止カバーは、前記カバー係止部を支持するようにして係止する被係止部を有し、前記規制部材は、前記規制壁が前記保持側係止部の係止解除方向で該規制壁より外方側に前記カバー係止部の内壁面が位置するように前記端子保持収容部に取り付けることを特徴とする。
【００１０】
また、本発明の請求項５に係る照明装置は、上記の発明において、前記規制部材は、前記光漏れ防止カバーに一体的に設けることを特徴とする。
【発明の効果】
【００１１】
本発明の請求項１に係る端子金具の係止構造は、前記端子側係止突起部の弾性変形量を抑えて弾性力が低下することを防ぎ、しかも、前記規制部材によって前記保持側係止部が係止解除方向に弾性変形することを規制することによって高い係止力を得ることができるので、端子金具の係止力が低下することを防止することができる。
【００１２】
本発明の請求項２に係るバルブソケットは、請求項１に記載の端子金具の保持構造を組み込んでいるので、前記ソケット本体に設けた前記端子保持収容部によって前記端子金具を保持収容する場合、前記端子側係止突起部の弾性変形量を抑えて弾性力が低下することを防ぎ、しかも、前記規制部材によって前記保持側係止部が係止解除方向に弾性変形することを規制することによって高い係止力を得ることができるので、端子金具の係止力が低下することを防止することができる。
【００１３】
本発明の請求項３に係る照明装置は、請求項２に記載のバルブソケットを組み込んでいるので、前記バルブソケットと同様に、端子金具の係止力が低下することを防止することができる。
【００１４】
本発明の請求項４に係る照明装置は、前記規制壁が前記保持側係止部の係止解除方向で、前記保持側係止部と前記カバー係止部との間に位置して前記保持側係止部が係止解除方向に弾性変形することを規制し、前記光漏れ防止カバーの前記被係止部が係止することによって強度を増した前記カバー係止部の内壁面が前記規制壁の撓み、あるいは位置ズレを防止するので、端子金具の係止力をより高めることができる。
【００１５】
本発明の請求項５に係る照明装置は、前記規制部材を前記光漏れ防止カバーに一体的に設けるので、部品点数を削減することができ、結果的に、組み付け作業を容易にすることができる。
【図面の簡単な説明】
【００１６】
【図１】図１は、本発明の実施例１に係る照明装置の分解斜視図である。
【図２】図２は、図（ａ）が照明装置を透過レンズ側から斜視図であり、図（ｂ）が照明装置を光漏れ防止カバー側から斜視図である。
【図３】図３は、透過レンズを取り付ける前の照明装置を光漏れ防止カバー側から視た斜視図である。
【図４】図４は、図３に示す照明装置の光漏れ防止カバー側から視た正面図である。
【図５】図５は、図（ａ）が、図４に示す照明装置のＡ−Ａ線断面図であり、図（ｂ）が図（ａ）の規制壁周辺を拡大した図である。
【図６】図６は、図４に示す照明装置を矢印Ａ方向から視た図である。
【図７】図７は、図（ａ）が図６に示す照明装置のＢ−Ｂ線断面図であり、図（ｂ）が図（ａ）の規制壁周辺を拡大した図である。
【図８】図８は、ソケット本体を挿入孔の開口側から視た正面図である。
【図９】図９は、図（ａ）が図８に示すソケット本体のＣ−Ｃ線断面図であり、図（ｂ）が図（ａ）の保持側係止部周辺を拡大した図である。
【図１０】図１０は、ソケット本体の斜視図である。
【図１１】図１１は、端子金具を取り付けたソケット本体を挿入孔の開口側から視た拡大図である。
【図１２】図１２は、端子金具の斜視図である。
【図１３】図１３は、図（ａ）が一対の端子金具の断面図であり、図（ｂ）が図（ａ）の端子側係止突起部周辺を拡大した図である。
【図１４】図１４は、一対の端子金具をソケット本体の各端子収容部に挿入する前の状態を示す図である。
【図１５】図１５は、図（ａ）が一対の端子金具が保持側係止部による係止位置に到達する前の状態を示す図であり、図（ｂ）が図（ａ）の保持側係止部周辺を拡大した図である。
【図１６】図１６は、図（ａ）が端子側係止突起部が保持側係止部に係止された状態を示す図であり、図（ｂ）が図（ａ）の保持側係止部周辺を拡大した図である。
【図１７】図１７は、規制部材をソケット本体に取り付ける前の状態を示す図である。
【図１８】図１８は、図（ａ）が規制部材をソケット本体に取り付けた状態を示す図であり、図（ｂ）が図（ａ）規制壁周辺を拡大した図である。
【図１９】図１９は、図（ａ）が光漏れ防止カバーおよびバルブをソケット本体に取り付ける前の状態を示し、図（ｂ）が光漏れ防止カバーおよびバルブをソケット本体に取り付けた状態を示す図である。
【図２０】図２０は、本発明の実施例２に係る照明装置の分解斜視図である。
【図２１】図２１は、図（ａ）が図２０に示す照明装置に透過レンズを取り付ける前の状態を光漏れ防止カバー側から視た正面図であり、図（ｂ）が図（ａ）を矢印Ｂ方向から視た図である。
【図２２】図２２は、図（ａ）が図２１に示す照明装置のＤ−Ｄ線断面図であり、図（ｂ）が図（ａ）の規制壁周辺を拡大した図である。
【図２３】図２３は、図（ａ）が図２１に示す照明装置のＥ−Ｅ線断面図であり、図（ｂ）が図（ａ）の規制壁周辺を拡大した図である。
【図２４】図２４は、図（ａ）が図２０に示す光漏れ防止カバーの上面図であり、図（ｂ）が図（ａ）に示す光漏れ防止カバーのＦ−Ｆ線断面図である。
【発明を実施するための形態】
【００１７】
以下、図面を参照して、本発明に係る端子金具の係止構造、バルブソケットおよび照明装置の好適な実施例を詳細に説明する。
【実施例１】
【００１８】
図１は、本発明の実施例１に係る照明装置２００の分解斜視図である。図２は、図（ａ）が照明装置２００を透過レンズ６０側から斜視図であり、図（ｂ）が照明装置２００を光漏れ防止カバー７０側から斜視図である。図３は、透過レンズ６０を取り付ける前の照明装置２００を光漏れ防止カバー７０側から視た斜視図である。図４は、図３に示す照明装置２００の光漏れ防止カバー７０側から視た正面図である。図５は、図（ａ）が、図４に示す照明装置２００のＡ−Ａ線断面図であり、図（ｂ）が図（ａ）の規制壁５１周辺を拡大した図である。図６は、図４に示す照明装置２００を矢印Ａ方向から視た図である。図７は、図（ａ）が図６に示す照明装置２００のＢ−Ｂ線断面図であり、図（ｂ）が（ａ）の規制壁５１周辺を拡大した図である。図８は、ソケット本体２０を挿入孔２１の開口２１ａ側から視た正面図である。図９は、図（ａ）が図８に示すソケット本体２０のＣ−Ｃ線断面図であり、図（ｂ）が図（ａ）の保持側係止部３１周辺を拡大した図である。図１０は、ソケット本体２０の斜視図である。図１１は、端子金具１０を取り付けたソケット本体２０を挿入孔２１の開口２１ａ側から視た拡大図である。図１２は、端子金具１０の斜視図である。図１３は、図（ａ）が一対の端子金具１０の断面図であり、図（ｂ）が図（ａ）の端子側係止突起部１５周辺を拡大した図である。
本発明の実施例１に係る照明装置２００は、例えば、自動車等に設置する室内照明装置である。この照明装置２００は、光源となるバルブ８０と、バルブソケット１００と、バルブ８０の光を装置外部に透過する透過レンズ６０と、透過レンズ６０以外からの光漏れを防止するための光漏れ防止カバー７０と、を有する。
【００１９】
まず、バルブ８０について説明する。
バルブ８０は、いわゆるウェッジベース型バルブによって実現し、図１に示すように、円柱状ガラス部材の内部に不図示のフィラメントを有する発光部８１と、陽極、および陰極の一対の不図示の端子を設けた電極部８２と、を有する。
【００２０】
次に、バルブソケット１００について説明する。
バルブソケット１００は、端子金具の係止構造１を組み込んでバルブ８０に給電するものである。
端子金具の係止構造１は、バルブ８０に接続する一対の端子金具１０、１０と、各端子金具１０、１０を保持収容する２つの端子保持収容部３０、３０と、規制部材５０と、を有する。なお、２つの端子保持収容部３０、３０は、バルブソケット１００の本体を構成するソケット本体２０に設ける。
【００２１】
一対の端子金具１０、１０は、いわゆるバスバーであり、導電性金属板を打ち抜き加工、および曲げ加工を施すことによって形成する。この一対の端子金具１０、１０は、図１３に示すように、互いに左右反転した状態で対向配置して各端子保持収容部３０に取り付ける。
端子金具１０は、端子保持収容部３０内に固定するとともに不図示の電線に接続する固定部１１と、この固定部１１から延びる延長部１２と、この延長部１２の先端部で幅を拡大するように設けた拡幅部１３と、延長部１２の途中から折れ曲がって連接する一対の端子部１４、１４と、延長部１２の一部を爪状に切り起こした端子側係止突起部１５と、を有する。
【００２２】
固定部１１は、図１２の上下方向を長手方向とする板状に形成する。この固定部１１は、端子保持収容部３０内の奥側位置に配置する。
【００２３】
延長部１２は、固定部１１からクランク状に折れ曲がって挿入孔２１の開口２１ａ側に向けて延在する部分である。
【００２４】
延長部１２の先端両側から延長部１２に対して直交する方向に延びた部分であり、拡幅部１３と延長部１２とでＴ字形状を形成するようになっている。
【００２５】
一対の端子部１４の各端子部１４は、延長部１２に対して折れ曲がった位置から挿入孔２１の開口２１ａ側に向けて片持ち片状に延びたばね部１４ａと、このばね部１４ａの先端に曲面状に曲げて形成した接点部１４ｂと、を有する。
このような端子部１４は、挿入孔２１に挿入したバルブ８０の電極部８２を挟持することによって電極部８２に設けた不図示の電極に電気的に接続する。
【００２６】
次に、ソケット本体２０について説明する。
ソケット本体２０は、バルブソケット１００の本体を構成する部分である。このソケット本体２０は、合成樹脂等の絶縁材からなり、全体的な形状として筒状をなしている。
ソケット本体２０の内部には、光漏れ防止カバー７０を通して不図示の電線を配索し、この電線が各端子金具１０、１０に接続することによってバルブ８０に電力を供給するようになっている。
【００２７】
このソケット本体２０は、バルブ８０の電極部８２を受け入れる挿入孔２１と、挿入孔２１に連続する空間を形成することによって一対の端子金具１０、１０を保持収容する一対の端子保持収容部３０、３０と、規制部材５０を保持する規制部材保持部４０と、光漏れ防止カバー７０を係止するカバー係止部２３と、透過レンズ６０に係合するレンズ係合部２４と、を有する。
【００２８】
各端子保持収容部３０は、端子金具１０の端子側係止突起部１５が端子収容部３０の係止位置にて弾性的に復元することによって係止される保持側係止部３１を有する。
【００２９】
保持側係止部３１は、係止位置に向けて移動する端子側係止突起部１５の弾性変形量を小さく抑える方向に弾性変形可能に設けている。すなわち、保持側係止部３１は、ソケット本体２０の外方に向けて撓むことができる構造になっている。
より具体的には、保持側係止部３１は、端子保持収容部３０の収容空間を形成する内壁面から挿入孔２１の開口２１ａに向けて片持ち片状に突出した一対の弾性アーム部３１ａ、３１ａと、この一対の弾性アーム部３１ａ、３１ａの先端部を連結する連結部３１ｂと、を有する。
【００３０】
また、一対の弾性アーム部３１ａ、３１ａとカバー係止部２３との間には、図９に示すように、規制部材５０の規制壁５１を挿入することができる隙間空間３２を形成している。
この隙間空間３２は、一対の弾性アーム部３１ａ、３１ａの一部が露出するように挿入孔２１の開口から内方に向けて切り込んだ切り込み開口２２を端子保持収容部３０の壁３０ａに形成し、この切り込み開口２２を覆うように端部に向けて迫出すカバー係止部２３を設けることによって形成する。
このため、規制部材５０をソケット本体２０に取り付ける前には、すなわち、規制部材５０を端子保持収容部３０に取り付ける前には、一対の弾性アーム部３１ａ、３１ａがこの隙間空間３２を利用してソケット本体２０の外方に撓むことができる。
すなわち、端子側係止突起部１５が係止位置に向けて移動する際、一対の弾性アーム部３１ａ、３１ａは端子側係止突起部１５の弾性変形量を抑えるように外方に向けて撓むことができるようになっている。
【００３１】
規制部材保持部４０は、規制部材５０を保持する部分である。この規制部材保持部４０は、規制部材５０の後述する連結部５２を間に配置することによって規制部材５０を所定位置に保持する一対の対向壁４１、４１（図１０参照）からなる。
この一対の対向壁４１、４１は、挿入孔２１の開口側端部上面で互いに向かい合うように立設してなる。一対の対向壁４１、４１の間に連結部５２を配置すると、規制壁５１が一対の弾性アーム部３１ａ、３１ａとカバー係止部２３との間に配置するようになっている。
【００３２】
カバー係止部２３、２３は、切り込み開口２２、２２周辺のソケット本体２０の両側部に設け、切り込み開口２２、２２を外側から覆うように端部に向けて迫出している。
カバー係止部２３は、両側部を光漏れ防止カバー７０の取り付けのためのスライド移動方向に沿って直線状に延びるように突出した一対の突出ガイド側縁部２３ａ、２３ａを有し、一対の突出ガイド側縁部２３ａ、２３ａを光漏れ防止カバー７０の後述する被係止部７４の一対のガイド溝部７４ａ、７４ａに対してスライド移動しながら嵌め合わせることによって、被係止部７４と係止する。
【００３３】
次に、規制部材５０について説明する。
規制部材５０は、保持側係止部３１が係止解除方向に弾性変形することを規制する規制壁５１を有し、かつ端子保持収容部３０とは別体で該端子保持収容部３０に取り付ける部材である。
この規制部材５０は、合成樹脂等の絶縁材からなり、ソケット本体２０の端部上面から端部側面に沿って取り付け可能に略門状に形成し、一対の規制壁５１、５１と、一対の規制壁５１、５１を上部で連結する連結部５２と、を有する。
【００３４】
規制壁５１は、弾性アーム部３１ａとカバー係止部２３との間の隙間空間３２の幅よりも僅かに小さい幅に調整する。
【００３５】
このような規制部材５０は、規制壁５１が保持側係止部３１の係止解除方向で保持側係止部３１より外方側、かつ、カバー係止部２３の内壁面２３ｂの内側に位置するように端子保持収容部３０に取り付ける。
すなわち、規制部材５０は、規制壁５１が一対の弾性アーム部３１ａ、３１ａとカバー係止部２３との間に位置するように端子保持収容部３０に取り付ける。
このため、規制壁５１は保持側係止部３１が係止解除方向に弾性変形した場合、保持側係止部３１が当接することによって、保持側係止部３１が係止解除方向に弾性変形することを規制することができ、保持側係止部３１が端子側係止突起部１５を高い係止力で係止するようになっている。
【００３６】
なお、保持側係止部３１は、規制部材５０によって端子側係止突起部１５を高い係止力で係止することができるため、係止解除方向により弾性変形し易い構造にすることが可能である。すなわち、弾性アーム部３１ａの厚さを薄くすることができる。
【００３７】
透過レンズ６０は、光透過性の樹脂材からなり、曲面板状に形成されたレンズ本体６１と、このレンズ本体６１の内面に突設した第一取付部６２と、第二取付部６３と、を有する。
第一取付部６２は、ソケット本体２０の挿入孔２１の開口とは逆側の端部に沿って外方に突出する係止片６２ａと、ソケット本体２０のレンズ係合部２４に係合可能な一対の第一係合部６２ｂと、を有する。
第二取付部６３は、図示しない車両の内装材に係合可能なロック部６３ａと、光漏れ防止カバー７０のレンズ係合部７３ａに係合可能な一対の第二係合部６３ｂと、を有する。
【００３８】
光漏れ防止カバー７０は、合成樹脂等の絶縁材からなり、全体的な形状が略半円筒状のカバー本体部７１と、このカバー本体部７１の一端部に形成し、ソケット本体２０に取り付けたバルブ８０の発光部８１を覆う端面部７２と、この端面部７２よりも突出して形成した一対のフランジ部７３、７３と、を有する。
【００３９】
カバー本体部７１は、発光部８１から照射した光を透過レンズ６０に向かって反射する不図示の反射面を内面に形成し、光を透過レンズ６０から外部に効率よく照射できるようになっている。
【００４０】
また、カバー本体部７１は、ソケット本体２０の一対のカバー係止部２３、２３に係止する一対の被係止部７４、７４を有する。
各被係止部７４は、カバー係止部２３の一対の突出ガイド側縁部２３ａ、２３ａと嵌め合わす一対のガイド溝部７４ａ、７４ａを有し、図１の上方から下方に向かって光漏れ防止カバー７０をソケット本体２０に向かって押し付け、対応するガイド溝部７４ａと突出ガイド側縁部２３ａとを嵌め合わせる。
このようにしてカバー係止部２３に被係止部７４を係止することによって、被係止部７４がカバー係止部２３の両側部を囲うように配置する。すなわち、被係止部７４がカバー係止部２３を支持するようにしてカバー係止部２３に係止する。
これにより光漏れ防止カバー７０の被係止部７４が係止することによって強度を増したカバー係止部２３の内壁面２３ｂが、規制壁５１の撓み、あるいは位置ズレを防止するので、保持側係止部３１が端子側係止突起部１５をより高い係止力で係止することができる。
【００４１】
各フランジ部７３、７３は、透過レンズ６０に係合するレンズ係合部７３ａを有する。このレンズ係合部７３ａは、スライド移動することによって透過レンズ６０の各第二係合部６３ｂに係合する。
【００４２】
ここで、図１４−図１９を用いて本発明の実施例１に係る照明装置の組み付け手順および各部の作用について説明する。
図１４は、一対の端子金具１０、１０を各端子保持収容部３０に挿入する前の状態を示す図である。図１５は、図（ａ）が一対の端子金具１０、１０が保持側係止部３１による係止位置に到達する前の状態を示す図であり、図（ｂ）が図（ａ）の保持側係止部３１周辺を拡大した図である。図１６は、図（ａ）が端子側係止突起部１５が保持側係止部３１に係止された状態を示す図であり、図（ｂ）が図（ａ）の保持側係止部３１周辺を拡大した図である。図１７は、規制部材５０を保持収容部３０に取り付ける前の状態を示す図である。図１８は、図（ａ）が規制部材５０を保持収容部３０に取り付けた状態を示す図であり、図（ｂ）が図（ａ）規制壁５１周辺を拡大した図である。図１９は、図（ａ）が光漏れ防止カバー７０およびバルブ８０をソケット本体２０に取り付ける前の状態を示し、図（ｂ）が光漏れ防止カバー７０およびバルブ８０をソケット本体２０に取り付けた状態を示す図である。
【００４３】
まず、作業者は、一対の端子金具１０、１０をソケット本体２０の各端子保持収容部３０、３０に挿入する（図１４−図１６参照）。
ここで、端子金具１０が係止位置に到達するまでの挿入途中では、図１５に示すように、各保持側係止部３１の一対の弾性アーム部３１ａ、３１ａが規制壁５１を挿入する隙間空間３２を利用して外方に向けて撓む。このため、端子金具１０は端子側係止突起部１５の弾性変形量を小さく抑えながら係止位置まで移動することができる。
端子側係止突起部１５が係止位置に到達すると、すなわち、端子側係止突起部１５が保持側係止部３１の連結部３１ｂをのり越えると、一対の弾性アーム部３１ａ、３１ａが弾性的に復元し、保持側係止部３１が端子側係止突起部１５を係止する。
なお、この保持側係止部３１と端子側係止突起部１５との係止状態では、一対の弾性アーム３１ａ、３１ａが外方に向けて撓み易い。すなわち、保持側係止部３１と端子側係止突起部１５との係止が解除され易い状態にある。
【００４４】
その後、作業者は、規制部材５０を端子子保持収容部３０、３０に取り付ける（図１７および図１８参照）。すなわち、作業者は、図１７に示すように、ソケット本体２０の上方から規制部材５０の連結部５２を規制部材保持部４０の一対の対向壁４１、４１の間に押し込む。
これにより、一対の規制壁４１、４１が弾性アーム部３１ａとカバー係止部２３との間の隙間空間３２にそれぞれ配置し、各保持側係止部の一対の弾性アーム３１ａ、３１ａが外方に向けて撓まないように可動を規制する。
【００４５】
その後、作業者は、バルブ８０をソケット本体２０に取り付け、さらに光漏れ防止カバー７０をソケット本体２０に取り付ける（図１９参照）。ここで、光漏れ防止カバー７０の一対の被係止部７４、７４とソケット本体２０の一対のカバー係止部２３、２３とを係止する。これにより、各カバー係止部２３は各被係止部７４によって両側部を支持される。
【００４６】
最後に、作業者は透過レンズ６０をバルブソケット１００と光漏れ防止カバー７０との組立体に取り付ける。
ここで、作業者は、バルブソケット１００と光漏れ防止カバー７０との組立体を透過レンズ６０に対してスライド移動することによって光漏れ防止カバー７０の一対のレンズ係合部７３ａ、７３ａと、透過レンズ６０の一対の第二係合部６３ｂ、６３ｂとを係合するとともに、ソケット本体２０の一対のレンズ係合部２４、２４と、透過レンズ６０の一対の第一係合部６２ｂ、６２ｂとを係合する。
【００４７】
本発明の実施例１に係る端子金具の係止構造１は、端子側係止突起部１５の弾性変形量を抑えて弾性力が低下することを防ぎ、しかも、規制部材５０によって保持側係止部３１が係止解除方向に弾性変形することを規制することによって高い係止力を得ることができるので、端子金具１０の係止力が低下することを防止することができる。
【００４８】
また、本発明の実施例１に係るバルブソケット１００は、端子金具の保持構造１を組み込んでいるので、ソケット本体２０に設けた端子保持収容部３０によって端子金具１０を保持収容する場合、端子側係止突起部１５の弾性変形量を抑えて弾性力が低下することを防ぎ、しかも、規制部材５０によって保持側係止部３１が係止解除方向に弾性変形することを規制することによって高い係止力を得ることができるので、端子金具１０の係止力が低下することを防止することができる。
【００４９】
また、本発明の実施例１に係る照明装置２００は、バルブソケット１００を組み込んでいるので、バルブソケット１００と同様に、端子金具１０の係止力が低下することを防止することができる。
【００５０】
また、本発明の実施例１に係る照明装置２００は、規制壁５１が保持側係止部３１の係止解除方向で、保持側係止部３１とカバー係止部２３との間に位置して保持側係止部３１が係止解除方向に弾性変形することを規制し、光漏れ防止カバー７０の被係止部７４が係止することによって強度を増したカバー係止部２３の内壁面２３ｂが規制壁５１の撓み、あるいは位置ズレを防止するので、端子金具１０の係止力をより高めることができる。
【実施例２】
【００５１】
次に、図２０−図２４を用いて本発明の実施例２に係る端子金具の係止構造、バルブソケットおよび照明装置について説明する。
図２０は、本発明の実施例２に係る照明装置４００の分解斜視図である。図２１は、図（ａ）が図２０に示す照明装置４００に透過レンズ６０を取り付ける前の状態を光漏れ防止カバー９０側から視た正面図であり、図（ｂ）が図（ａ）を矢印Ｂ方向から視た図である。図２２は、図（ａ）が図２１に示す照明装置４００のＤ−Ｄ線断面図であり、図（ｂ）が（ａ）の規制壁５１周辺を拡大した図である。図２３は、図（ａ）が図２１に示す照明装置４００のＥ−Ｅ線断面図であり、図（ｂ）が図（ａ）の規制壁５１周辺を拡大した図である。図２４は、図（ａ）が図２０に示す光漏れ防止カバー９０の上面図であり、図（ｂ）が図（ａ）に示す光漏れ防止カバー９０のＦ−Ｆ線断面図である。
本発明の実施例１に係る端子金具の係止構造１、バルブソケット１００および照明装置２００は、規制部材５０が光漏れ防止カバー７０と別体であるものを例示したが、本発明の実施例２に係る端子金具の係止構造２、バルブソケット３００および照明装置４００は、実施例１に示す規制部材５０を光漏れ防止カバー９０に一体的に設けている点で異なる。
なお、その他の構成は実施例１と同様であり、実施例１と同一構成部分には同一符号を付している。
【００５２】
端子金具の係止構造２は、光漏れ防止カバー９０自体が規制部材５０の機能を有し、この光漏れ防止カバー９０を端子金具１０、１０が挿入されたソケット本体２０に取り付けることによって、図２２および図２３に示すように、規制壁５１が一対の弾性アーム部３１ａ、３１ａとカバー係止部２３との間に位置するようになっている。
【００５３】
また、各保持側係止部３１の一対の弾性アーム部３１ａ、３１ａが規制壁９１ａ、９１ａを挿入する隙間空間３２を利用して外方に向けて撓む。このため、端子金具１０は端子側係止突起部１５の弾性変形量を小さく抑えながら係止位置まで移動することができる。
【００５４】
本発明の実施例２に係る端子金具の係止構造２、バルブソケット３００および照明装置４００は、実施例１の端子金具の係止構造１、バルブソケット１００および照明装置２００と同様な効果を奏するとともに、照明装置４００は規制部材５０を光漏れ防止カバー９０に一体的に設けることによって部品点数を削減することができるので、組み付け作業を容易にすることができる。
【００５５】
なお、本発明の実施例１、２に係る端子金具の係止構造１、２は、バルブソケット１００、３００および照明装置２００、４００に組み込むものを例示したが、これに限らず、その他の部品、あるいは装置に組み込むようにしても構わない。例えば、コネクタに組み込むようにしてもよい。
【００５６】
また、本発明の実施例１、２に係る端子金具の係止構造１、２は、端子側係止突起部１５が爪状に切り起こしてなり、保持側係止部３１が一対の弾性アーム３１ａ、３１ａを有するものを例示したが、これに限らず、端子側係止突起部１５がソケット本体２０の保持側係止部３１による係止位置にて弾性的に復元し、保持側係止部３１は、係止位置に向けて移動する端子側係止突起部１５の弾性変形量を小さく抑える方向に弾性変形可能に設けて端子側係止突起部１５を係止するようになっていればよい。
【００５７】
また、本発明の実施例１、２に係る端子金具の係止構造１、２は、規制壁５１が一対の弾性アーム部３１ａ、３１ａとカバー係止部２３との間に位置するようになっているものを例示したが、これに限らず、保持側係止部３１が係止解除方向に弾性変形することを規制するように規制壁５１を配置することができればよい。すなわち、規制壁５１が保持側係止部３１より係止解除方向で外方側に位置していればよく、規制壁５１より外方側にカバー係止部２１の内壁面２３ｂが位置していなくてもよい。
【００５８】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５９】
１、２      端子金具の係止構造
１０        端子金具
１１        固定部
１２        延長部
１３        拡幅部
１４        端子部
１４ａ      ばね部
１４ｂ      接点部
１５        端子側係止突起部
２０  ソケット本体
２１        挿入孔
２１ａ      開口
２２        切り込み開口
２３        カバー係止部
２３ａ      突出ガイド側縁部
２３ｂ      内壁面
２４        レンズ係合部
３０        端子保持収容部
３０ａ      壁
３１        保持側係止部
３１ａ      弾性アーム部
３１ｂ      連結部
３２        隙間空間
４０        規制部材保持部
４１        対向壁
５０        規制部材
５１        規制壁
５２        連結部
６０        透過レンズ
６１        レンズ本体
６２        第一取付部
６２ａ      係止片
６２ｂ      第一係合部
６３        第二取付部
６３ａ      ロック部
６３ｂ      第二係合部
７０、９０  光漏れ防止カバー
７１        カバー本体部
７２        端面部
７３        フランジ部
７３ａ      レンズ係合部
７４        被係止部
７４ａ      ガイド溝部
８０        バルブ
８１        発光部
８２        電極部
１００、３００  バルブソケット
２００、４００  照明装置
【図１】
2015115162.tif 000003
【図２】
2015115162.tif 000004
【図３】
2015115162.tif 000005
【図４】
2015115162.tif 000006
【図５】
2015115162.tif 000007
【図６】
2015115162.tif 000008
【図７】
2015115162.tif 000009
【図８】
2015115162.tif 000010
【図９】
2015115162.tif 000011
【図１０】
2015115162.tif 000012
【図１１】
2015115162.tif 000013
【図１２】
2015115162.tif 000014
【図１３】
2015115162.tif 000015
【図１４】
2015115162.tif 000016
【図１５】
2015115162.tif 000017
【図１６】
2015115162.tif 000018
【図１７】
2015115162.tif 000019
【図１８】
2015115162.tif 000020
【図１９】
2015115162.tif 000021
【図２０】
2015115162.tif 000022
【図２１】
2015115162.tif 000023
【図２２】
2015115162.tif 000024
【図２３】
2015115162.tif 000025
【図２４】
2015115162.tif 000026